(57)【特許請求の範囲】
【請求項１】
画像を撮影するための撮像部と、前記撮像部により撮像した画像を表示する表示部と、撮像部により撮影され、かつ、外部プリンタが読み出し可能な画像データが記録されている記録媒体を着脱可能なインターフェイス部と、前記インターフェイス部に装着されている記録媒体から画像データを読み出すための読み出し手段を有するデジタルカメラであって、
当該デジタルカメラにて、印刷前に予め印刷画像と印刷設定を指定する場合に、前記外部プリンタにより記録された外部プリンタで設定可能な項目を示すプリント設定項目情報が記録されている記録媒体であって、複数の外部プリンタについてそれぞれのプリント設定項目情報と外部プリンタを特定するための情報とが記述されたプリント設定項目情報ファイルが記録されている記録媒体から、前記プリント設定項目情報ファイルを読み出して解析する解析手段と、
前記解析手段により解析された、選択されたプリンタに対応するプリント設定項目情報ファイルに基づいて、前記外部プリンタで画像をプリントする際の印刷設定情報を生成し、前記記録媒体に記録する生成手段と、
複数の外部プリンタの中から、プリンタを選択する選択手段と、を有し、
前記記録媒体は、前記プリンタにより記録されたプリント設定項目情報ファイルを画像データとは独立して管理するためのディレクトリを有し、
前記解析手段は、前記インターフェイス部に装着された記録媒体から前記読み出し手段により前記プリント設定項目情報ファイルを読み出すことにより、前記外部プリンタと直接通信せずに前記プリント設定項目情報ファイルを取得し、
前記生成手段は、前記選択手段で選択されたプリンタに対応するプリント設定項目情報に基づいて印刷設定情報を生成することを特徴とするデジタルカメラ。
【請求項２】
前記生成手段は、前記プリンタにより画像データを自動プリントさせるために、印刷画像指定情報と印刷設定情報が記述された自動プリント情報を生成することを特徴とする請求項１に記載のデジタルカメラ。
【請求項３】
前記記録媒体は、前記自動プリント情報を管理するためのディレクトリを有することを特徴とする請求項２記載のデジタルカメラ。
【請求項４】
前記自動プリント情報は、ＤＰＯＦファイルであることを特徴とする請求項２記載のデジタルカメラ。
【請求項５】
前記印刷設定情報は、プリント種の設定、画像処理設定、両面印刷設定、ステイプル設定のうち少なくとも１つに関する情報を含むことを特徴とする請求項１乃至４のいずれか１項に記載のデジタルカメラ。
【請求項６】
画像を撮影するための撮像部と、前記撮像部により撮像した画像を表示する表示部と、撮像部により撮影され、かつ、外部プリンタが読み出し可能な画像データが記録されている記録媒体を着脱可能なインターフェイス部と、前記インターフェイス部に装着されている記録媒体から画像データを読み出すための読み出し手段を有するデジタルカメラのデータ処理方法であって、
前記デジタルカメラにて、印刷前に予め印刷画像と印刷設定を指定する場合に、前記外部プリンタにより記録された外部プリンタで設定可能な項目を示すプリント設定項目情報が記録されている記録媒体であって、複数の外部プリンタについてそれぞれのプリント設定項目情報と外部プリンタを特定するための情報とが記述されたプリント設定項目情報ファイルが記録されている記録媒体から、前記プリント設定項目情報ファイルを読み出して解析する解析工程と、
前記解析工程により解析された、選択されたプリンタに対応するプリント設定項目情報ファイルに基づいて、前記外部プリンタで画像をプリントする際の印刷設定情報を生成し、前記記録媒体に記録する生成工程と、
複数の外部プリンタの中から、プリンタを選択する選択工程と、を有し
前記記録媒体は、前記プリンタにより記録されたプリント設定項目情報ファイルを画像データとは独立して管理するためのディレクトリを有し、
前記解析工程は、前記インターフェイス部に装着された記録媒体から前記読み出し手段により前記プリント設定項目情報ファイルを読み出すことにより、前記外部プリンタと直接通信せずに前記プリント設定項目情報ファイルを取得し、
前記生成工程は、前記選択工程で選択されたプリンタに対応するプリント設定項目情報に基づいて印刷設定情報を生成することを特徴とするデータ処理方法。
【請求項７】
前記生成工程は、前記プリンタにより画像データを自動プリントさせるために、印刷画像指定情報と印刷設定情報が記述された自動プリント情報を生成することを特徴とする請求項６に記載のデータ処理方法。
【請求項８】
前記記録媒体は、前記自動プリント情報を管理するためのディレクトリを有することを特徴とする請求項７記載のデータ処理方法。
【請求項９】
前記自動プリント情報は、ＤＰＯＦファイルであることを特徴とする請求項７記載のデータ処理方法。
【請求項１０】
前記印刷設定情報は、プリント種の設定、画像処理設定、両面印刷設定、ステイプル設定のうち少なくとも１つに関する情報を含むことを特徴とする請求項６乃至９のいずれか１項に記載のデータ処理方法。
【発明の詳細な説明】
【０００１】
【発明の属する技術分野】
本発明は、画像データが記録され、かつ、外部プリンタが該画像データを読み出し可能な記録媒体を着脱自在な画像処理装置の印刷設定処理に関するものである。
【０００２】
【従来の技術】
近年、画像処理装置、いわゆるデジタルカメラの普及に伴い、デジタルカメラで撮影した画像をデジタルラボでのプリントサービスや、家庭用のパーソナルプリンタでプリント出力する機会が増大している。
【０００３】
これまでの銀塩写真のプリントサービスはフィルム中の全ての画像を現像し、画像を確認する必要があるため、全ての画像をプリントする必要があった。それに対し、前述したデジタルカメラでは撮影した画像をすぐにカメラ本体で確認することが可能であるため、必要な画像だけを、必要な枚数プリントすることが可能である。
【０００４】
また、この種の画像処理システムにおいて、所定の画像記録フォーマットで扱われるリムーバブルメディアに記録する自動プリント情報は、画像ノース情報，日付／時刻，プリント枚数，プリント種，文字およびタイトル挿入，画像回転情報，トリミング情報，両面プリント情報，ステープル処理情報等が挙げられる。
【０００５】
【発明が解決しようとする課題】
しかしながら、前述したような自動プリント情報に含まれる、プリント設定の項目はデジタルカメラ側で既に用意されており、プリント設定の項目中にプリント出力を行なうプリンタ本体が実現不可能な設定がある場合が存在した。
【０００６】
例えば、自動プリント情報で両面印刷が設定可能にもかかわらず、プリンタ本体が両面印刷を行なう機構が備わっていない場合である。
【０００７】
本発明は、上記の問題点を解消するためになされたもので、本発明の目的は、画像処理装置に装着されるプリンタにより記録されたプリント設定項目情報ファイルを画像データとは独立して管理するためのディレクトリを有する記録媒体から外部プリンタで記録されたプリント設定項目を読み出し、該プリント設定項目を解析して印刷設定情報を生成することにより、ユーザによる外部プリンタ毎のプリント設定項目の操作負担を不要とし、独立して管理するためのディレクトリに記録される自動印刷情報に従い効率よく画像データを印刷処理することができる仕組みを提供することを目的とする。
【０００９】
【課題を解決するための手段】
本発明に係るデジタルカメラは、以下の特徴的構成を備える。
画像を撮影するための撮像部と、前記撮像部により撮像した画像を表示する表示部と、撮像部により撮影され、かつ、外部プリンタが読み出し可能な画像データが記録されている記録媒体を着脱可能なインターフェイス部と、前記インターフェイス部に装着されている記録媒体から画像データを読み出すための読み出し手段を有するデジタルカメラであって、当該デジタルカメラにて、印刷前に予め印刷画像と印刷設定を指定する場合に、前記外部プリンタにより記録された外部プリンタで設定可能な項目を示すプリント設定項目情報が記録されている記録媒体であって、複数の外部プリンタについてそれぞれのプリント設定項目情報と外部プリンタを特定するための情報とが記述されたプリント設定項目情報ファイルが記録されている記録媒体から、前記プリント設定項目情報ファイルを読み出して解析する解析手段と、前記解析手段により解析された、選択されたプリンタに対応するプリント設定項目情報ファイルに基づいて、前記外部プリンタで画像をプリントする際の印刷設定情報を生成し、前記記録媒体に記録する生成手段と、複数の外部プリンタの中から、プリンタを選択する選択手段と、を有し、  前記記録媒体は、前記プリンタにより記録されたプリント設定項目情報ファイルを画像データとは独立して管理するためのディレクトリを有し、前記解析手段は、前記インターフェイス部に装着された記録媒体から前記読み出し手段により前記プリント設定項目情報ファイルを読み出すことにより、前記外部プリンタと直接通信せずに前記プリント設定項目情報ファイルを取得し、前記生成手段は、前記選択手段で選択されたプリンタに対応するプリント設定項目情報に基づいて印刷設定情報を生成することを特徴とする。
【００３１】
【発明の実施の形態】
以下、図面を参照して本発明の実施形態を説明する。
【００３２】
図１は、本発明の一実施形態を示す画像処理装置を説明する図であり、例えば画像処理装置がデジタルカメラの場合に対応し、（ａ）は制御ブロック図であり、（ｂ）は装置前面側及び背面側の立面図である。
【００３３】
図１において、１０１はデジタルカメラ本体、１０２は撮像部で、主に光学画像を取り込むレンズ，取り込んだ光学画像を光電変換するＣＣＤ，光電変換されたアナログ信号をデジタル信号に変換するＡ／Ｄ変換部からなる。１０３は画像処理部で、前記撮像部１０２から出力されたデジタル画像信号にフィルタ処理，色変換処理，ガンマ補正等の各種画像処理を行う。
【００３４】
１０４は画像圧縮・伸長部で、画像処理部１０３から出力されたデジタル画像信号をＪＰＥＧフォーマットの画像データとして圧縮変換する。１０５はＵＩ設定部で、ユーザがデジタルカメラ本体１０１を操作するためのユーザインタフェースであり、撮影した画像に対して後で説明する自動プリント情報に関する設定を行う。
【００３５】
１０６はデータ記録部で、画像圧縮・伸長部１０４，自動プリント情報生成部１０７と接続されており、ＩＦ部１０８に対して脱着可能なメモリカード１０９へ画像データと自動プリント情報を前記ＩＦ部１０８を介して記録する。以上は本発明のデジタルカメラ１０１の画像記録についての説明である。
【００３６】
次に画像表示／再生について説明する。
【００３７】
前述したように撮像された画像データは前記画像処理部１０３で画像処理を施され、画像圧縮・伸長部１０４をスルーし、ディスプレイ制御部１１０に入力される。また、メモリカード１０９に記録された画像データはＩＦ部１０８を介してデータ読み取り・解析部１１１により読み出され、画像データのみ、画像圧縮・伸長部１０４でＪＰＥＧフォーマットに圧縮されていた画像データをビットマンプデータに伸長変換した後、ディスプレイ制御部１１０に入力される。ディスプレイ制御部１１０は入力された画像データに基づき、ディスプレイ部１１２に画像を表示する。
１１３は無線通信部で、無線通信により画像データ、自動プリントデータの送受信を行うことが出来る。
【００３８】
次に、本発明の画像処理装置におけるプリンタについて説明する。
【００３９】
図２は、本発明の一実施形態を示す画像処理装置の構成を説明する図であり、例えば画像処理装置がプリンタの場合に対応し、（ａ）は制御ブロック図であり、（ｂ）は本体前面側の立面図である。なお、図１に示すデジタルカメラ１０１とプリンタ２０１とにより画像処理システムが構成されるものとする。
【００４０】
図２において、２０１はプリンタで、２０２はｌＦ部であり、デジタルカメラ１０１に装着されるメモリカード１０９が脱着可能である。ＩＦ部２０２にメモリカード１０９が接続され、プリンタ操作部２０３上の自動プリントキーが押されると、プリントデータ解析部２０４はＩＦ部２０２を介してメモリカード１０９から入力される各種データを解析し、画像データは画像処理部２０５、自動プリント情報はプリンタ制御部２０６に出力する。
【００４１】
そして、画像処理部２０５では入力された画像データに対して色変換処理を含む種々の画像処理（反転，回転，特殊効果処理等を含む）を施す。２０６はプリンタ装置全体の制御を行うプリンタ制御部で、プリントデータ解析部２０４から入力された自動プリント情報に基づき画像処理部２０５、プリンタエンジン２０７を制御する。
【００４２】
２０７はプリンタエンジンで、画像処理部２０５から入力された画像データに基づきプリント出力を行う。２０３は操作部で、ユーザがプリンタを操作する。２０８は表示部で、操作部内に含まれ装置の現在の状態を表示する。２０９はプリント設定項目記録部であり、ＩＦ部２０２にメモリカード１０９が接続されている時に、操作部２０３からの操作でメモリカード１０９にプリンタ２０１に設定可能なプリント設定の項目を記録する。
また、２１０は無線通信部で、無線通信により画像データ、自動プリントデータの送受信を行う。
【００４３】
図３は、図２に示したプリンタエンジンの構成を説明する断面図であり、例えばレーザビームプリンタの場合に対応する。
【００４４】
図３において、３０１は感光ドラムであり、前露光フンプ３０２によって画像形成に備えて除電される。３０３は１次帯電器であり、感光ドラム３０１を一様に帯電させる。３０４は露光手段であり、例えば半導体レーザ等で構成され、前述した画像処理部２０５で処理された画像データに基づいて感光ドラム３０１を露光し、静電潜像を形成する。
【００４５】
３０５は現像器であり、黒色の現像剤（トナー）が収容されている。３０６は転写前帯電器であり、感光ドラム３０１上に現像されたトナー像を用紙に転写する前に高圧をかける。３０７，３０８，３０９は給紙ユニットであり、各給紙ローラ３１０，３１１，３１２の駆動により、転写用紙が装置内へ給送されレジストローラ３１３の配設位置で一旦停止し、感光ドラム３０１に形成された画像との書き出しタイミングがとられ再給送される。
【００４６】
３１４は転写帯電器であり、感光ドラム３０１上に現像されたトナー像を給送される転写用紙に転写する。３１５は分離帯電器であり、転写動作の終了した転写用紙を感光ドラム３０１より分離する。転写されずに感光ドラム３０１上に残ったトナーはクリーナー３１６によって回収される。３１７は搬送ベルトで、転写プロセスの終了した転写用紙を定着器３１８に搬送し、例えば熱により定着させ転写用紙をビントレー３２０上に出力する。３１９はフラッパで、転写用紙の搬送経路を中間トレイ３２１方向またはビントレー３２０のいずれかに切替制御する。３２３，３２４，３２５，３２６は搬送ローラで、転写用紙を中間トレイ３２１へ搬送する。３２７は再給紙ローラで、中間トレイ３２１から給紙された転写用紙をレジストローラ３１３の配設位置へ搬送する。３２２は排紙センサで、排紙される転写用紙の有無等を検出する。なお、プリント方式は、本例のみならず、他のプリント方式であってもよい。例えば中間転写体を介して転写されたカラー画像を転写用紙に一括転写するフルカラープリンタや４連タンデム型のフルカラープリンタ等であってもよい。
【００４７】
図４は、本発明に係る画像処理装置におけるメモリカード１０９内のディレクトリ構造を説明する図である。
【００４８】
図４において、４０１〜４０５はディレクトリで、４０２，４０３は画像データを格納しているディレクトリである。４０４は自動プリント情報を格納するディレクトリである。４０５はプリンタの自動プリント情報として設定可能な設定項目を格納するディレクトリである。
【００４９】
４０６〜４１０は画像データのファイルであり、前述したようにＪＰＥＧフォーマットのデータとして格納されている。４１１は自動プリント情報のファイルで、例えばテキストデータである。
【００５０】
４１２，４１３は各プリンタの設定可能項目のファイルで、例えばテキストデータである。ファイル４１２，４１３は別々のプリンタに対する設定項目である。
【００５１】
この図からわかるように、本実施形態に示すメモリカード１０９内の画像データと自動プリント情報、及び自動プリント設定可能項目は別々のディレクトリに格納されている。
【００５２】
次に、図５、図６を用いて、本発明に係る画像処理装置におけるプリンタの自動プリント設定項目情報のダウンロード処理動作について説明する。
【００５３】
図５は、本発明の画像処理装置における第１のデータ処理手順の一例を示すフローチャートであり、例えばプリンタの自動プリント設定項目のダウンロード動作手順に対応する。なお、Ｓ５０１〜Ｓ５０４は各ステップを示す。
【００５４】
図６は、本発明に係る画像処理装置における自動プリント設定項目の一例を示す図である。
【００５５】
図６で示すように、自動プリント設定項目は、ヘッダセクション６０１とデータセクション６０２から構成されている。
【００５６】
そして、ヘッダセクション６０１には、プリンタのメーカ（ＰＲＴ□ＭＫＲ），プリンタの型名（ＰＲＴ□ＮＡＭＥ）の情報が存在し、プリンタを特定する情報を含む。また、データセクション６０２には、設定可能な項目として、インデックスプリント（ＩＤＸ）、トリミング（ＴＲＭ）、回転（ＲＯＴ）、シャープネス（ＳＨＰ）（ステイプル（ＳＴＰ）、両面（ＴＳＤ）、変倍（ＺＯＭ）がある。［０，１］で示されているのは設定を有り（０）、無し（１）で行なうことが出来ることを示す設定である。
【００５７】
なお、回転（ＲＯＴ）の［９０，１８０，２７０］は回転により設定可能な角度を、ステイプル（ＳＴＰ）の［０００，００１，００２］はステイプルする位置と数を（０００や００１の各数字には、ステイプル位置やステイプルの数があらかじめ各数字ごとに割り当てられていることを前提としている。当然では有るが、もっと多様な表現を用いて、ステイプル等の仕方について多様な設定を、直接的な表現で記述するようにしてもよい。例えばステイプル位置や数を、左上に一箇所ということを意味することばで記述することが出来る。）、変倍（ＺＯＭ）の［２５．．４００］は設定可能な変倍率の範囲を示している。
【００５８】
先ず、メモリカード１０９がプリンタ本体のＩＦ部２０２に接続され、操作部上のダウンロードキーが押されると（Ｓ５０１）、プリントデータ解析部２０４はメモリカード１０９内の情報を解析する（Ｓ５０２）。
【００５９】
そして、ステップＳ５０２の解析結果からメモリカード１０９内に同じヘッダ情報が存在するかどうかを判定して（Ｓ５０３）、存在すると判定した場合には、そのまま処理を終了し、存在しないと判定した場合、自動プリント設定項目をダウンロードして（Ｓ５０４）、処理を終了する。
このダウンロードされた情報を有するメモリカード１０９を、デジタルカメラに使用することによって、ＤＰＯＦの設定を行うときに、このプリンタが備える機能に合った、最適な設定項目表示を行うことが可能になる。
【００６０】
次に、図７を用いて本発明におけるデジタルカメラの自動プリント情報のファイル構造について詳しく説明する。
【００６１】
図７は、本発明の画像処理装置における自動プリント情報のファイル構造を説明する図である。
【００６２】
図７において、自動プリント情報（ＡＵＴＰＲＩＮＴ．ＭＲＫ）４１１のファイル構造はヘッダセクション７０１とジョブセクション７０２〜７０４にわかれている。ヘッダセクション７０１内にはこの自動プリント情報（ＡＵＴＰＲＩＮＴ，ＭＲＫ）４１１を作成したデジタルカメラの機種名，作成日時の情報が入っている。
【００６３】
各ジョプセクション７０２〜７０４にはジョブのＩＤナンバ，プリント種の設定（スタンダードプリント，インデンクスプリント等），画像ファイル名指定（例えばＡＢＣ００１．ＪＰＧ，ＸＹＺ００１．ＪＰＧ），画像処理指定（トリミング情報，回転情報，日付印刷，タイトル印刷等），両面印刷指定，ステイプル指定の情報が入っている。
【００６４】
ここで、両面印刷指定とは、画像データをプリント出力する際に両面印刷して出力するかどうかを指定する情報である。ステイプル指定とは画像データをプリント出力する際のステイプル処理を指定する情報である。内容はステイプルの有り無し，ステイプル位置（コーナステイプルまたはダブルステイプル）を指定する情報である。
【００６５】
次に、図８を用いて、本発明における自動プリント情報の生成について詳しく説明する。なお、自動プリント情報は、いわゆるＤＰＯＦファイルを含むものとする。
【００６６】
図８は、本発明の画像処理装置における第２のデータ処理手順の一例を示すフローチャートであり、図１に示したデジタルカメラ１０１の自動プリント情報の設定動作手順に対応する。なお、Ｓ８０１〜Ｓ８０４は各ステップを示す。
【００６７】
前述したように自動プリント設定項目の情報がダウンロードされたメモリカード１０９がデジタルカメラのＩＦ部１０８に接続され、操作部上の設定キーが押されると（Ｓ８０１）、データ読み取り・解析部（読み取り・解析部）１１１はメモリカード１０９内の情報を解析する（Ｓ８０２）。
【００６８】
次に、所望の出力プリンタ（本実施形態ではＰＲＴ００１）を選択すると（Ｓ８０３）、デジタルカメラ１０１は自動プリント設定項目情報に基づくファイル４１２に基づいて、自動プリント情報の生成が可能になり（Ｓ８０４）、処理を終了する。
【００６９】
次に図９、図１０を用いて、本発明における自動プリント情報によるプリント出力動作を詳しく説明する。
【００７０】
図９は、本発明の画像処理装置における自動プリント情報を詳しく説明する図である。
【００７１】
図９において、９０１は前述した図７で説明したヘッダセクションである。９０２，９０３は同様にＪＯＢセクシヨンである。今、ジョブセクション９０２について詳しく説明する。ＪＯＢセクシヨン９０２はジョブのＩＤが００１（ＰＲＴ□ＰＩＤ＝００１）で、プリント種がスタンダードプリント（ＰＲＴ□ＴＹＰ＝ＳＴＤ）、プリント枚数は３枚（ＰＲＴ□ＱＴＹ＝００３）、両面印刷を指定（ＰＲＴ□ＴＳＤ＝００１，但し「０００」の場合は両面指定無し）、ステイプル指定は左辺２個所綴じのダブルステイプル（ＰＲＴ□ＳＴＰ＝００２，但し「０００」の場合はステイプル無し、００１は左上１個所綴じのコーナステイプル）が指定されている。
【００７２】
プリントする画像はＡＢＣ００１．ＪＰＧ，ＡＢＣ００２．ＪＰＧ，ＡＢＣ００３．ＪＰＧ，ＡＢＣ００４．ＪＰＧ，ＸＹＺ００１．ＪＰＧ，ＸＹＺ００２．ＪＰＧ，ＸＹＺ００３．ＪＰＧ，ＸＹＺ００４．ＪＰＧである。
【００７３】
ただし、ＡＢＣ００１．ＪＰＧに関してはトリミングの指定（ＣＦＧ□ＴＲＭ＝２００，１００，６００，１０００；これは画素番号Ｘ２００，Ｙ１００を基準点にＸ６００，Ｙ１０００画素をトリミングする）と、回転の指定（ＣＦＧ□ＲＯＴ＝９０；右回りに９０度回転）、変倍（ＣＦＧ□ＺＯＭ＝１２０；１２０％のズーム）の画像処理が指定がされている。また、ＡＢＣ００２．ＪＰＧには日付印刷とシャープネスの画像処理、及びＡＢＣ００２．ＪＰＧにはトリミングと日付印刷指定、およびＡＢＣ００４．ＪＰＥＧは日付印刷と回転の画像処理が指定されている。
【００７４】
図１０は、本発明の画像処理装置における第３のデータ処理手順の一例を示すフローチャートであり、図２に示したプリンタ２０１による自動プリント動作手順に対応する。なお、Ｓ１００１〜Ｓ１００４は各ステップを示す。
【００７５】
先ず、メモリカード１０９がプリンタ２０１のＩＦ部２０２に接続され、操作部上の自動プリントキーが押されると（Ｓ１００１）、プリントデータ解析部２０４はメモリカード１０９内の情報を解析する（Ｓ１００２）。前述したように自動プリント情報（ここではＡＵＴＰＲＩＮＴ．ＭＲＫ）をプリンタ制御部２０６に出力する。そして、画像処理部２０５にて画像処理、具体的にはＰＥＧは日付印刷と回転の画像処理を行う（Ｓ１００３）。
【００７６】
そして、プリンタエンジン２０７に出力し、印刷を開始して（Ｓ１００４）、処理を終了する。
【００７７】
これにより、例えば図９に示す自動プリント情報がメモリカード１０９に記録されている場合、両面印刷が指定されているので、プリンタ制御部２０６は両面印刷を実行するようにプリンタエンジン２０７を制御する。
【００７８】
また、ステイプル処理の指定もされているので、プリンタ制御部２０６は指定されたステイプル処理を実行するようにプリンタエンジン２０７を制御し、プリント出力を行う。
【００７９】
また、本実施形態ではプリンタとして白黒プリンタを例としたが、カラープリンタでも適用可能であることはいうまでもない。その際、色味に関する画像処理が含まれることになる。
【００８０】
上記実施形態によれば、デジタルカメラで撮像した画像をプリント出力する際に、自動プリント情報を作成する前に、予めプリントするプリンタからプリント設定項目をダウンロードする事が可能となり、ユーザの操作性が向上する。
【００８１】
前述の実施形態での自動プリント設定項目情報のダウンロードは、プリンタ２０１にメモリカード１０９が接続された状態で行うものである。次に図１２のフローチャートを用いて、無線通信を用いた自動プリント設定項目情報のダウンロードについて説明する。
【００８２】
図１１は、本発明の画像処理装置における第４のデータ処理手順の一例を示すフローチャートであり、例えばプリンタの自動プリント設定項目のダウンロード動作手順に対応する。なお、Ｓ１２０１〜Ｓ１２０４は各ステップを示す。
【００８３】
先ず、メモリカード１０９がデジタルカメラ本体のＩＦ部１０８に接続され、プリンタ２０１の操作部上のダウンロードキーが押されると（Ｓ１２０１）、プリンタ内の無線通信部２１０は自動プリント設定項目情報を送信する（Ｓ１２０２）。デジタルカメラ１０１本体内の無線通信部１１３が送信された自動プリント設定項目情報を受信し（Ｓ１２０３）、前記メモリカード１０９内の情報を解析する（Ｓ１２０４）。
【００８４】
そして、ステップＳ１２０４の解析結果からメモリカード１０９内に同じヘッダ情報が存在するかどうかを判定して（Ｓ１２０５）、存在すると判定した場合には、そのまま処理を終了し、存在しないと判定した場合、自動プリント設定項目をダウンロードして（Ｓ１２０６）、処理を終了する。
以後の自動プリント情報の生成、及びプリント動作については前述した実施形態と同様のものとする。
また、さらには、無線通信部がＰＨＳ（Ｐｅｒｓｏｎａｌ  Ｈａｎｄｙ−Ｐｈｏｎｅ  Ｓｙｓｔｅｍ）等の公衆回線網であってもよいし、赤外線等の無線通信であっても良い。
なお、図６で示したように、画像処理装置としてのプリンタを特定するための情報もデジタルカメラの記憶媒体またはメモリカードに記録することによって、複数のプリンタを使い分けることが可能になる。
つまり、使用するプリンタに合わせて、設定できる項目を変更することが、簡単に行うことが出来る。
さらには、無線通信技術によって画像や、ＤＰＯＦなどのプリント情報を送受信する場合には、身の周りに複数のプリンタが存在する場合も考えられるので、この場合にも、送受信すべきプリンタを特定する情報を、デジタルカメラで特定することが出来て便利である。
【００８５】
以下、図１２に示すメモリマップを参照して本発明に係る画像処理装置を適用可能な画像処理システムで読み出し可能なデータ処理プログラムの構成について説明する。
【００８６】
図１２は、本発明に係る画像処理装置を適用可能な画像処理システムで読み出し可能な各種データ処理プログラムを格納する記憶媒体のメモリマップを説明する図である。
【００８７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００８９】
本実施形態における図５，図８，図１０，図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９１】
この場合、記憶媒体から読み出されたプログラムコード自体が本発明の新規な機能を実現することになり、そのプログラムコードを記憶した記憶媒体は本発明を構成することになる。
【００９２】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００９３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９５】
【発明の効果】
以上説明したように、本発明によれば、ユーザによる外部プリンタ毎のプリント設定項目の操作負担を不要とし、独立して管理するためのディレクトリに記録される自動印刷情報に従い効率よく画像データを印刷処理することができる。
【図面の簡単な説明】
【図１】本発明の一実施形態を示す画像処理装置を説明する図である。
【図２】本発明の一実施形態を示す画像処理装置の構成を説明する図である。
【図３】図２に示したプリンタエンジンの構成を説明する断面図である。
【図４】本発明に係る画像処理装置におけるメモリカード内のディレクトリ構造を説明する図である。
【図５】本発明の画像処理装置における第１のデータ処理手順の一例を示すフローチャートである。
【図６】本発明に係る画像処理装置における自動プリント設定項目の一例を示す図である。
【図７】本発明の画像処理装置における自動プリント情報のファイル構造を説明する図である。
【図８】本発明の画像処理装置における第２のデータ処理手順の一例を示すフローチャートである。
【図９】本発明の画像処理装置における自動プリント情報を詳しく説明する図である。
【図１０】本発明の画像処理装置における第３のデータ処理手順の一例を示すフローチャートである。
【図１１】本発明の画像処理装置における第４のデータ処理手順の一例を示すフローチャートである。
【図１２】本発明に係る画像処理装置を適用可能な画像処理システムで読み出し可能な各種データ処理プログラムを格納する記憶媒体のメモリマップを説明する図である。
【符号の説明】
１０１  デジタルカメラ
１０２  撮像部
１０３  画像処理部
１０４  画像圧縮・伸長部
１０５  ＵＩ設定部
１０６  データ記録部
１０７  自動プリント情報生成部
１０８  ＩＦ部
１０９  メモリカード
１１０  ディスプレイ制御部
１１２  ディスプレイ部
１１３  無線通信部
２０１  プリンタ
２０２  ＩＦ部
２０３  操作部
２０４  プリントデータ解析部
２０５  画像処理部
２０６  プリンタ制御部
２０７  プリンタエンジン
２０８  表示部
２０９  プリント設定項目記録部
２１０  無線通信部
【図１】
0004464000.tif 000002
【図２】
0004464000.tif 000003
【図３】
0004464000.tif 000004
【図４】
0004464000.tif 000005
【図５】
0004464000.tif 000006
【図６】
0004464000.tif 000007
【図７】
0004464000.tif 000008
【図８】
0004464000.tif 000009
【図９】
0004464000.tif 000010
【図１０】
0004464000.tif 000011
【図１１】
0004464000.tif 000012
【図１２】
0004464000.tif 000013